(57)【要約】【課題】少ない工程数で製造することができると共に、本体部材に柔軟部材を確実に固定し、これらの間に間隙が発生するのを防止した釣り具およびその製造方法を提供すること【解決手段】握り部に位置するリールシート本体１２の外周面上の少なくとも一部に凹部４２を形成し、この凹部４２と凹部を囲む表面部４６とを含む外周面上に塗装層５０を積層して半製品を形成し、この半製品の凹部４２内に、リールシート本体１２よりも軟質の材料からなる柔軟部材３２を成形し、凹部４２内の塗装層５０を介してリールシート本体１２と柔軟部材３２とを密着させて一体構造に形成したリールシート。【選択図】      図５
2008271814.tif 000002
【特許請求の範囲】
【請求項１】
握り部に位置する本体部材の外周面上の少なくとも一部に凹部を形成し、この凹部と凹部を囲む表面部とを含む外周面上に塗装層を積層して半製品を形成し、この半製品の前記凹部内に、本体部材よりも軟質の材料からなる柔軟部材を成形し、前記凹部内の塗装層を介して本体部材と柔軟部材とを密着させて一体構造に形成したことを特徴とする釣り具。
【請求項２】
前記本体部材は、ナイロン又はＡＢＳ樹脂で形成され、前記塗装層は、ウレタン系樹脂で形成され、前記柔軟部材は、ポリエステル系あるいはウレタン系のエラストマーで形成されることを特徴とする請求項１に記載の釣り具。
【請求項３】
前記本体部材は、前記凹部の周縁部に沿って、前記表面部と凹部の底部との中間高さを帯状に延びる段差面を有し、前記柔軟部材は、周縁部が前記段差面に配置されることを特徴とする請求項１又は２に記載の釣り具。
【請求項４】
前記本体部材は、魚釣用リールを取付ける筒状のリールシートとして形成され、前記柔軟部材は、このリールシートの握り部を形成することを特徴とする請求項１から３のいずれか１つに記載の釣り具。
【請求項５】
握り部に位置する本体部材の外周面上の少なくとも一部に形成した凹部と、この凹部を囲む表面部とを含む外周面上に塗装層を積層するコーティング工程と、
この塗装層を乾燥させて釣り具の半製品を形成した後、この半製品の外周面上で、前記凹部を囲む部位に外型を配置し、前記凹部と外型との間に形成される間隙に、前記本体部材よりも軟質の材料から形成される柔軟部材を充填する柔軟部材成形工程と、
を備えることを特徴とする、釣り具の製造方法。
【請求項６】
前記柔軟部材成形工程は、前記凹部の周縁部に沿って表面部と凹部の底部との中間高さを帯状に延びる段差面に、外型を当接させ、この外型と凹部との間に空間を形成する手順を有することを特徴とする請求項５に記載の釣り具の製造方法。
【発明の詳細な説明】
【技術分野】
【０００１】
本発明は、釣り具に関し、特に、釣り人が実釣時に握持する釣り具に関する。
【背景技術】
【０００２】
一般に、樹脂で形成された釣り具は、本体部材上に他の樹脂製部材を設け、種々の用途に適した機能を付与することが行われている。
【０００３】
例えばプリプレグを巻回して形成した竿素材の外面に、リールの脚受け部を一体形成した釣り竿が開発されている。この釣り竿は、竿素材の外面上に、軸方向に所定間隔をおいて一対の溝を形成し、これらの溝に環状体を固定し、この環状体の外径に一致した内径を有する２つ割りに構成した金型を、環状体の外面に密着させて嵌合し、この金型と竿素材との間に形成される内部空間に、熱可塑性樹脂を射出成形することにより、リールシートを竿素材に一体成形して製造される（例えば特許文献１参照）。
【０００４】
この製造方法によれば、本体部材である竿素材の外面に熱可塑性樹脂を射出成形する際、環状体と金型との間から樹脂が流れ出ることがなく、バリの取り除き等の手間が不要となる。
【０００５】
また、魚の当たりを待つ場合のように、リールシートを握持した状態で肘が当接する部位に肘当て部を形成するため、元竿の竿尻部に特殊塗料を塗布し、あるいは軟質弾性材を固着する釣り竿も開発されている（例えば特許文献２参照）。
【０００６】
この釣り竿によれば、本体部材である元竿の外面に設けた塗料あるいは弾性材により、この肘当て部に僅かな弾性変形力を付与し、滑り止め効果を持たせることができる。
【特許文献１】特開平４−３０４８３３号公報
【特許文献２】特開２００６−２５６８４
【発明の開示】
【発明が解決しようとする課題】
【０００７】
上述のように、本体部材である竿素材の外面に、熱可塑性樹脂を射出成形してリールシートを形成する場合は、この射出成形する樹脂がプリプレグで形成した竿素材とは異なる材料であるため、これらの２種の材料が互いに溶着しない場合がある。この場合には、リールシートと竿素材とが分離し易く、充分な接合強度を得るのが困難である。また、竿素材と金型との間に環状体を配置するための溝が竿素材の強度を低下させる虞がある。
【０００８】
また、元竿の竿尻部に特殊塗料を塗布して肘当て部を形成する場合には、マスキング工程が必要となり、製造工程数が増大すると共に、塗装合わせ部が外観を損なうことになる虞が生じる。この塗装に代えて、別体の軟質弾性材を固着する場合には、接着合わせ面に隙間が発生し、接着部の浮きあるいは剥離する虞があり、接着剤が合わせ部からはみ出す場合には、はみ出した接着剤が外観を害する虞がある。
【０００９】
更に、本体部材の外部に露出している部分を保護あるいは装飾する外側層を形成する場合には、本体部材を除いてマスキングする必要がある。このマスキング工程は、完成品の外観あるいは品質に与える影響が極めて大きく、多くの労力を必要とする。
【００１０】
本発明はこのような事情に基づいてなされたもので、極めて少ない工程数で製造することができると共に、本体部材に柔軟部材を確実に固定し、これらの間に間隙が発生するのを防止した釣り具およびその製造方法を提供することを目的とする。
【課題を解決するための手段】
【００１１】
上記目的を達成する本発明の釣り具は、握り部に位置する本体部材の外周面上の少なくとも一部に凹部を形成し、この凹部と凹部を囲む表面部とを含む外周面上に塗装層を積層して半製品を形成し、この半製品の前記凹部内に、本体部材よりも軟質の材料からなる柔軟部材を成形し、前記凹部内の塗装層を介して本体部材と柔軟部材とを密着させて一体構造に形成したことを特徴とする。
【００１２】
前記本体部材は、ナイロン又はＡＢＳ樹脂で形成され、前記塗装層は、ウレタン系樹脂で形成され、前記柔軟部材は、ポリエステル系あるいはウレタン系のエラストマーで形成されることが好ましい。
【００１３】
また、前記本体部材は、前記凹部の周縁部に沿って、前記表面部と凹部の底部との中間高さを帯状に延びる段差面を有し、前記柔軟部材は、周縁部が前記段差面に配置されるものであってもよい。
【００１４】
更に、前記本体部材は、魚釣用リールを取付ける筒状のリールシートとして形成され、前記柔軟部材は、このリールシートの握り部を形成するものであってもよい。
【００１５】
更に、握り部を形成する本体部材の外周面上の少なくとも一部に形成した凹部と、この凹部を囲む表面部とを含む外周面上に塗装層を積層するコーティング工程と、この塗装層を乾燥させて釣り具の半製品を形成した後、この半製品の外周面上で、前記凹部を囲む部位に外型を配置し、前記凹部と外型との間に形成される間隙に、前記本体部材よりも軟質の材料から形成される柔軟部材を充填する柔軟部材成形工程と、を備えることを特徴とする、釣り具の製造方法が提供される。
【００１６】
前記柔軟部材成形工程は、前記凹部の周縁部に沿って表面部と凹部の底部との中間高さを帯状に延びる段差面に、外型を当接させ、この外型と凹部との間に空間を形成する手順を有することが好ましい。
【発明の効果】
【００１７】
本発明の釣り具によると、握り部に位置する本体部材の外周面上に形成した凹部に、塗装層を介して柔軟部材を直接成形するため、本体部材の材質に影響されることなく、凹部内の全面にわたって柔軟部材の充分な接合強度を確保して確実に密着させて固定することができ、柔軟部材の剥離や端部からの裂け等の破損を防止でき、優れた外観を維持することができる。
【００１８】
本体部材がナイロン又はＡＢＳ樹脂で形成され、塗装層がウレタン系樹脂で形成され、柔軟部材がポリエステル系あるいはウレタン系のエラストマーで形成される場合には、本体部材の充分な強度を維持しつつ、柔軟部材を確実に密着させて固定し、強度および耐久性に優れた釣り具を形成することができる。
【００１９】
また、本体部材が凹部の周縁部に沿って、表面部と凹部の底部との中間高さを帯状に延びる段差面を有し、柔軟部材の周縁部がこの段差面に配置される場合には、柔軟部材の特に周縁部の破損を確実に防止でき、耐久性の優れた釣り具とすることができる。
【００２０】
本体部材が魚釣用リールを取付ける筒状のリールシートとして形成され、柔軟部材がこのリールシートの握り部を形成する場合には、柔軟部材が広範囲にわたって強固に密着固定されるため、魚釣り操作を容易かつ確実に行うことができる。
【００２１】
更に、本発明の釣り具の製造方法によると、本体部材の強度を低下させることなく、所要部位に剥離し難い柔軟部材を配置した釣り具を容易かつ確実に製造することができる。
【００２２】
また、柔軟部材成形工程が凹部の周縁部に沿って表面部と凹部の底部との中間高さを帯状に延びる段差面に、外型を当接させ、この外型と凹部との間に空間を形成する手順を有する場合には、特に、凹部を囲む表面部の塗装層に対する損傷が防止され、塗装層の外観を損なうことなく、釣り具を製造することができる。
【発明を実施するための最良の形態】
【００２３】
図１から図７は、本発明の好ましい実施形態による釣り具を示し、本実施形態の釣り具は、魚釣用リールを釣り竿に取付けるリールシート１０として形成してある。
【００２４】
図１から図７に示すように、本実施形態のリールシート１０は、取付脚部８を介して例えばスピニングリール等の魚釣用リールを取付けるための筒状構造のリールシート本体１２を本体部材として備え、このリールシート本体１２の例えば握持した際の後端側である軸方向の一端側に形成したねじ部１４に沿って移動フード１６が軸方向に移動自在に装着される。繊維強化樹脂製であるのが好ましい図示しない竿杆が、このリールシート本体１２内に挿通され、例えば接着剤を用いて強固に固着される。このリールシート本体１２内に配置する竿杆は、中空構造あるいは中実構造のいずれであってもよい。
【００２５】
本実施形態のリールシート本体１２は、強度を維持しつつ軽量構造とするために、例えばナイロンやＡＢＳ等の合成樹脂で筒状に形成されるのが好ましく、一方、このような合成樹脂だけでなく、金属（例えばＳＵＳ、アルミニウム、チタン、真鍮）等の適宜の材料から形成してもよい。
【００２６】
このリールシート本体１２は、図では下側に示す一側に、取付脚部８の支持脚８ａに対して前後方向に延びる足部８ｂを載置するリール脚載置面１８が形成されている。更に、このリールシート本体１２には、移動フード１６に向けて開口部２０を後方に開口させた固定フード２２が一体的に設けられており、移動フード１６と共に、取付脚部８の足部８ｂをリール脚載置面１８上に押圧し、取付脚部８を介してこのリールシート１０に魚釣用リールを取付け、固定することができる。実釣時には、図１に示すように、取付脚部８の支持脚８ａを握持する手の指の間に挟み、足部８ｂと共にリールシート１０を握り込んで操作することができ、したがって、これらのリール脚載置面１８および固定フード２２を形成した部位を含む領域がリールシート本体１２上で握り部を形成する。
【００２７】
固定フード２２は、頂壁部２２ａとこの頂壁部２２ａの両側から軸方向に沿って湾曲しつつ後方に延びる側壁部２２ｂとを有し、これらの頂壁部２２ａと両側壁部２２ｂとで区画された開口部２０内に、リール脚載置面１８の前端側が延び、この固定フード２２内で終端する。この固定フード２２を形成する頂壁部２２ａおよび側壁部２２ｂは、基端側縁部が凹線あるいは区画線２３に沿ってリールシート本体１２から盛上った状態に形成されており、その外周面は、握持する手に痛みを与えないように、滑らかに凸状に湾曲する。また、側壁部２２ｂの先端縁部すなわちリールシート本体１２から突出した側の縁部は、足部８ｂを開口部２０内に挿入するときに、この側壁部２２ｂが足部８ｂと干渉するのを防止するため、リール脚載置面１８から離隔する側に大きく湾曲し、後方に向けて次第にリール脚載置面１８側に延び、このリール脚載置面１８の側方で終端する。
【００２８】
側壁部２２ｂがこのようにリールシート本体１２から盛上ることにより、取付脚部８の足部８ｂと共に握りこんだときに、側壁部２２ｂが足部８ｂとの間の段差部を解消させると共に、この側壁部２２ｂを指を当てる引掛かり部として作用させることも可能である。必要な場合には、側壁部２２ｂを後方に延設することなく、頂壁部２２ａから周方向に延設することも可能である。
【００２９】
固定フード２２の頂壁部２２ａは、先端側に向けて次第に高さが低くなり、この開口部２０から受入れた足部８ｂの一端が内方に向けて、移動フード１６で押圧されたときに、この取付脚部８をリール脚載置面１８側に付勢する。本実施形態の固定フード２２は、リールシート本体１２と一体構造に形成してある。これに代え、金属又は硬質の合成樹脂でリールシート本体１２と別体構造に形成し、リールシート本体１２に強固に固定してもよい。金属で形成する場合には、リールの取付脚部が当接する部位に樹脂製部材を配置し、金属部材と金属部材との接触による損傷を防止することが好ましい。
【００３０】
また、移動フード１６は、リールシート本体１２のねじ部１４に螺合するナット部材２４と、このナット部材２４の先端部に後端部を回動自在に連結されたフード体２６とを有する。この移動フード１６が配置される部位で、リールシート本体１２の外面は、ねじ部１４を形成した部位をリールシート本体１２の軸方向に沿って延びる長手方向溝（図示しない）を有し、このフード体２６の内周側から突出する図示しない突起がこの長手方向溝に嵌合し、このフード体２６を軸方向に沿って案内することができる。そして、フード体２６に形成した開口部３０を固定フード２２の開口部２０と軸方向に対向させた状態で、ナット部材２４をリールシート本体１２のねじ部１４に沿って回動させることにより、フード体２６の開口部３０を固定フード２２の開口部２０に対向させた状態で軸方向に沿って前後動することができる。
【００３１】
このフード体２６は、脚部８ｂをリール脚載置面１８上に保持するのに充分な剛性を持つ硬質合成樹脂あるいは金属で形成し、開口部３０は固定フード２２の開口部２０と同様な構造に形成してある。この移動フード１６の開口部３０は、固定フード２２の開口部２０とは逆に後端側に向けて次第に高さが低くなる。これにより、リールの取付脚部８の足部を開口部３０内に受入れた状態で、固定フード２２側に移動されると、固定フード２２と協働して取付脚部８をリール脚載置面１８に向けて付勢する。なお、リールシート本体１２の向きは、上述と前後を逆にして固定することも可能である。また、開口部２０，３０内には、取付脚部８との接触による損傷を防止する例えば樹脂製の緩衝部材（図示しない）を配置してもよい。
【００３２】
このリールシート１０は、リール脚載置面１８および固定フード２２を配置した部位、すなわちリールシート本体１２の握り部の外周部に、リールシート本体１２よりも軟質の材料からなる柔軟部材３２を、直接成形することにより、このリールシート本体１２と一体構造に形成してある。本実施形態の柔軟部材３２は、移動フード１６が固定フード２２と共に足部８ｂを締付ける状態に締め込まれ、前進位置に配置されたときに、この移動フード１６の前端位置に対応する部位から、固定フード２２の前方位置にわたる領域に配置してある。
【００３３】
図３および図４に示すように、本実施形態の柔軟部材３２は、移動フード１６が螺合するねじ部１４側に配置される後部領域３２ａと、固定フード２２を囲む状態に配置される中部領域３２ｂと、固定フード２２の前部に配置される前部領域３２ｃとを有する。
【００３４】
この後部領域３２ａは、リールシート本体１２の全周を囲み、その後端側縁部は下側のリール脚載置面１８側よりも上側が後方に延び、握持する手の母指球部および支持脚８ａを後方から挟み込む指の指先が当たる領域の柔軟な感触を確保している。また、リールシート本体１２の下側には、リール脚載置面１８を周方向に横切る帯状部３４を有しており、この帯状部３４は、リール脚載置面１８よりも径方向外方に僅かに突出しており、固定フード２２と移動フード１６とで付勢された取付脚部８の足部８ｂがリール脚載置面１８上に押圧されたときに、この足部８ｂを弾力的に付勢し、取付脚部８および魚釣用リールのガタつきを防止する。この帯状部３４は、足部８ｂの強固な締付け状態を維持しつつガタつきを防止するために、幅すなわち軸方向寸法が１０〜２０ｍｍ程度で、リール脚載置面１８からの突出高さが０．３〜１．０ｍｍ程度であることが好ましい。
【００３５】
また、中部領域３２ｂは、固定フード２２の一側の側壁部２２ｂから周方向に沿い、上部領域を通って他側の側壁部２２ｂまで延び、この固定フード２２、およびリール脚載置面１８の前部を露出した状態に延設されている。そして、前部領域３２ｃは、固定フード２２の前端側で、リール脚載置面１８側で固定フード２２から前方に向けて先細状に延びる舌片状に形成され、この前縁部３３は、固定フード２２の開口部２０と径方向にほぼ対応した部位まで、固定フード２２の側壁部２２ｂから離隔した状態を維持しつつ、滑らかに後方かつ上方に延びる。
【００３６】
この前部領域３２ｃと径方向に対向した上部側の部位では、リールシート本体１２が露出する。これにより、図１に示すようにこの握り部を握持したときに、このリールシート本体１２に直接触れる親指、および固定フード２２に直接触れる人差し指を介して、竿杆および硬質材製のリールシート本体１２を通じて伝達される微細な魚信を感得することができる。また、移動フード１６に触れる小指およびその付け根の近部でも、竿杆およびリールシート本体１２から硬質材製のフード体２６を介して微細な魚信を感得することができる。
【００３７】
この柔軟部材３２は、固定フード２２の前端側に配置された前部領域３２ｃに、滑り止め用の溝状凹部３６を周方向に沿って形成し、中部領域３２ｂの上部に、多数の断面円形状の凹部３８を形成し、握持したときに握りやすくかつ滑り難い外面形状を備えている。また、後部領域３２ａと中部領域３２ｂにわたって、固定フード２２の両側に設けられた区画線２３から上方かつ後方に、滑らかな曲線状に延びる溝４０は、凹部３８と共に、柔軟部材３２の滑り止め作用をなし、更に、釣り人が握持する手を通じてこの溝４０の位置を感得することにより、握り位置を容易に確認することができる。
【００３８】
特に図５および図６に示すように、この柔軟部材３２は、リールシート本体１２の外周面上で、握り部を形成する部位に形成された凹部４２内に、後述する塗装層を介して直接成形してある。この凹部４２の底部は全体がほぼ均等な深さに形成されており、その周縁部に沿って、帯状に延びる段差面４４を形成してある。この段差面４４は、凹部４２を囲むリールシート本体１２の表面部４６と、凹部４２の底部との中間高さに形成され、後述するように、柔軟部材３２をリールシート本体１２上に射出成形する際、金型を載置することができる。この段差面４４に金型が載置されることにより、柔軟部材３２の周縁部がこの段差面４４上に配置される。この周縁部の外面側を丸めあるいは面取りし、握持する手や外部部材に引掛かるのを防止することが好ましい。
【００３９】
この段差面４４は、例えば１．０〜１．２ｍｍ程度の幅に形成し、この段差面４４上に配置される柔軟部材３２は、段差面４４の幅に対して５０％以下で３０％〜１０％程度の範囲内とすることが好ましい。段差面４４上に配置される柔軟部材３２をできる限り少なくすることにより、柔軟部材３２の薄肉部分を少なくし、この薄肉部分からの破損の可能性を少なくすることができる。また、柔軟部材３２の周縁部と表面部４６との間に形成される間隙ｔ（図６参照）は、１．５ｍｍ以下で、１．０ｍｍ〜０．７ｍｍ程度とすることが好ましい。隙間ｔをこのように小さくすることにより、段差面４４上に配置される柔軟部材３２の縁部に手や指が当たる等、外力が作用しても、この柔軟部材３２の薄肉部分からの破損を確実に防止し、リールシート１０に優れた耐久性を確保することができる。
【００４０】
なお、この段差面４４は、表面部４６との間に、約０．４ｍｍ程度の段差を形成し、この段差面４４上に配置される柔軟部材３２の周縁部の厚さが薄くなり過ぎることなく、この凹部４２を囲む表面部４６から、例えば０．２〜０．３ｍｍ程度、僅かに突出するように形成することが好ましい。
【００４１】
更に、この凹部４２の底部には、直接リールシート本体１２上に柔軟部材３２を射出成形する際に、溶融樹脂材料のゲートを形成する注湯孔４８がリールシート本体１２を半径方向に貫通して形成され、リールシート本体１２の内部空間Ｓを凹部４２に連通している。本実施形態では、この注湯孔４８は、前部領域３２ｃの前部部位すなわちリールシート本体１２から最も幅狭で剥離し易い部位に形成してある。このような注湯孔４８は複数部位に設けることも可能であり、この場合には、例えば固定フード２２の側壁部２２ｂに近接した部位等、操作する際に指先から大きな力が作用する部位等、形状的に剥離し易い部位だけでなく、指先から大きな力を受ける部位等にも配置することが好ましい。
【００４２】
このように、大きな外力が作用する部位、あるいは、締付け力が作用しない部位等の剥離し易い部位に注湯孔４８を形成することにより、注湯孔４８内で硬化した樹脂が前部領域３２ｃをリールシート本体１２に固定する作用をなすことに加え、注湯孔４８の近部の柔軟部材３２が接合される接合面が、高温度に加熱された柔軟部材３２の樹脂材料に長時間にわたって接触することにより、リールシート本体１２の外周面外周設けられた塗装層と柔軟部材３２がより強固に結合することができる。
【００４３】
このような柔軟部材３２は、以下の工程を経てリールシート本体１２上に形成することができる。
【００４４】
先ず、上述のような凹部４２および注湯孔４８を形成したリールシート本体１２の表面を清浄化した後、リールシート本体１２の表面部４６および凹部４２を含む外周面の全体にわたって、保護層あるいは装飾層となる塗装層５０を積層する。このコーティング工程では、吹き付け塗装、しごき塗装、静電塗装等、各種塗装方法により行うことも可能である。これに用いる塗料は、着色塗料、あるいは透明状塗料であってもよく、透明状塗料には着色透明塗料および無色透明塗料が含まれる。
【００４５】
このように塗装層５０を積層したリールシート本体１２は、この塗装層５０を乾燥させて半製品を形成する。
【００４６】
そして、図８に示すように、この塗装層５０を形成した半製品であるリールシート本体１２の外周部に金型Ｍを配置し、リールシート本体１２の凹部４２と共に、上述の柔軟部材３２を成形するための空間Ｃを形成し、この空間Ｃ内に上述の注湯孔４８を介して溶融した樹脂を充填し、この溶融樹脂で塗装層５０の接合面を融点以上に加熱しつつこの溶融樹脂を加圧し、この接合面で分子結合を生じさせて一体化した後、これらの溶融樹脂と塗装層５０とを硬化することにより、リールシート本体１２よりも軟質材料からなる柔軟部材３２を、このリールシート本体１２上に一体に成形することができる。
【００４７】
このように、塗装層50を積層したリールシート本体１２の外周部に金型Ｍを配置して、凹部４２内に直接柔軟部材３２を射出成形することにより、リールシート本体１２の強度を低下させることなく、所要部位に剥離し難い柔軟部材３２を配置したリールシート１０を容易かつ確実に製造することができる。表面部４６が既に塗装されているため、仕上げ用の塗装工程およびマスキング工程を必要としない。
【００４８】
この柔軟部材成形工程では、金型Ｍを設置する際の手順として、リールシート本体１２の凹部４２と表面部４６との間の段差面４４上に外型ｍを当接させ、この外型ｍと凹部４２との間に上述の空間Ｃを形成することが好ましい。これにより、リールシート本体１２の表面部４６の塗装層５０に傷つくのを防止し、完成したリールシート１０の外観を損なうことなく、製造することができる。塗装層５０の再形成等の後工程を必要としない。また、柔軟部材３２を成形する際に、外型ｍが接触して傷がついた場合でも、段差部４４が表面部４６よりも低位置であり、柔軟部材３２の周縁部と表面部４６との間に形成される間隙も小さいため、その傷が目立たず、きれいな塗装外観を維持することができる。
【００４９】
更に、柔軟部材３２周縁部が段差面４４で接合されることにより、この接合面が外部に露出せず、この周縁部から剥離するのを抑制することができる。更に、柔軟部材３２の周縁部が段差面４４に形成されることにより、表面部４６からの突出高さが低くなり、接合面に大きな力が作用するのを防止することができる。
【００５０】
このように柔軟部材３２を、リールシート本体１２の保護層あるいは装飾層を兼ねる塗装層５０の上に形成することにより、リールシート本体１２を形成する材質に影響されることなく、全面にわたって柔軟部材３２の充分な接合強度を確保して確実に密着させて固定することができ、柔軟部材３２の剥離や端部からの裂け等の破損を防止でき、リールシート１０の優れた外観を形成することができる。
【００５１】
また、柔軟部材３２がリールシート本体１２の握り部を形成する部位の周部上で広範囲にわたって強固に密着固定されるため、このようなリールシート１０を備えた釣り竿による魚釣り操作を容易かつ確実に行うことができる
このような操作性に優れたリールシート本体１２を形成するための材料として、充分な強度を確保することができるナイロン樹脂（ガラス繊維で補強した場合も含む）を用いる場合、他の樹脂に対して好適な密着性を得るためには高価な特殊グレードのものを使用する必要があるのに対し、塗装層５０に柔軟部材３２を一体成形することにより、この塗装層５０を介して柔軟部材３２を通常の（特殊グレードでない）ナイロン樹脂製のリールシート本体１２でも、強固な一体構造とすることができる。
【００５２】
このような塗装層５０としては、アクリルウレタンやポリウレタン等のナイロン樹脂との密着性の良好なウレタン系樹脂で形成し、柔軟部材３２はポリエステル系のエラストマーやウレタン系のエラストマーで形成することが好ましい。この場合には、リールシート本体１２の充分な強度を維持しつつ、柔軟部材３２を確実に密着させて固定し、強度および耐久性に優れたリールシート１０を形成することができる。
【００５３】
このような塗装層５０は、リールシート本体１２および柔軟部材３２との一体化が可能なものであれば、単一の材料で単層に形成することなく、複数層で形成してもよい。例えば内側にリールシート本体１２の外面を隠蔽すると共にナイロン樹脂との密着性の良好なポリウレタン樹脂層を単層あるいは複数層形成し、この外側にアクリルウレタン等の柔軟部材３２との密着性の良好なクリヤー層を形成してもよい。なお、リールシート本体１２は、ナイロン樹脂の他、ＡＢＳ樹脂で形成することも可能である。
【００５４】
なお、上述の実施形態では、柔軟部材３２は、凹部４２内に射出成形することにより形成したが、このような凹部４２を設けることなく、リールシート本体１２の外周部に塗装層５０を介して直接成形することも可能である。また、リールシート１０に限らず、ナイロン樹脂等の高強度かつ軽量材料で形成された本体部に、これと異なる材料で種々の機能を付与するものであれば、例えばグリップ、竿尻キャップ等にも用いることができる。
【図面の簡単な説明】
【００５５】
【図１】本発明の好ましい実施形態によるリールシートの使用状態の全体図。
【図２】図１に示すリールシートの側面図。
【図３】図２に示すリールシートから移動フードを外した状態の側面図。
【図４】図２に示すリールシートから移動フードを外した状態の平面図。
【図５】図３に示すリールシートの軸方向断面図。
【図６】図５の一部を拡大した断面図。
【図７】図３に示すリールシートの横断面図を示し、（Ａ）は図５の７Ａ−７Ａ線に沿う断面図、（Ｂ）は図５の７Ｂ−７Ｂ線に沿う断面図。
【図８】図１に示すリールシートの製造工程の一部を示す説明図。
【符号の説明】
【００５６】
８…取付脚部、１０…リールシート、１２…リールシート本体、３２…柔軟部材、４２…凹部、４６…表面部、５０…塗装層、Ｍ…金型。
【図１】
2008271814.tif 000003
【図２】
2008271814.tif 000004
【図３】
2008271814.tif 000005
【図４】
2008271814.tif 000006
【図５】
2008271814.tif 000007
【図６】
2008271814.tif 000008
【図７】
2008271814.tif 000009
【図８】
2008271814.tif 000010